(57)【要約】【課題】略直方体箱状のケーシングの内部が鉛直に延びる仕切板により送風機室と機械室とに分割された構造を有する空気調和装置の室外ユニットにおいて、機械室に配置される電装品アセンブリのコンパクト化を実現しつつ、電装品アセンブリの輸送も効率的に行えるようにする。【解決手段】電装品アセンブリ７は、躯体７１と、端子台８６と、端子台サポート部材８７とを備えている。躯体７１は、運転制御素子が実装された制御基板９１が装着されており、制御基板９１の基板面がユニットケーシング２の前面に対して傾斜するように設けられる。端子台８６は、ユニットケーシング２の前面を向くように配置される。端子台サポート部材８７は、躯体７１に設けられており、ユニットケーシング２内に設けられた状態の端子台８６を支持する第１状態と、第１状態よりも基板面に対する傾斜が緩い第２状態とに切換可能である。【選択図】図７
2007127377.tif 000002
【特許請求の範囲】
【請求項１】
略直方体箱状のケーシング（２）の内部が鉛直に延びる仕切板（２８）により送風機室（Ｓ１）と機械室（Ｓ２）とに分割された構造を有する空気調和装置の室外ユニットにおいて、前記機械室に配置される電装品アセンブリであって、
運転制御素子が実装された制御基板（９１）とインバータ制御素子（９２）とを含む各種電気部品が装着されており、前記ケーシング内に設けられた状態において、前記制御基板の基板面が前記ケーシングの前面に対して傾斜又は直交するように設けられる躯体（７１）と、
前記ケーシング内に設けられた状態において、前記ケーシングの前面を向くように配置される端子台（８６、１８６）と、
前記躯体に設けられており、前記ケーシング内に設けられた状態の前記端子台を支持する第１状態と、前記第１状態よりも前記基板面に対する傾斜が緩い第２状態とに切換可能な端子台サポート部材（８７、１８７）と、
を備えた電装品アセンブリ（７、１０７）。
【請求項２】
前記端子台サポート部材（８７、１８７）は、前記躯体（７１、１７１）が前記ケーシング（２）内に設けられた状態において、前記第２状態に切り換えると、前記ケーシングの平面視における前記躯体の外側にはみ出さないように配置される、請求項１に記載の電装品アセンブリ（７、１０７）。
【請求項３】
前記端子台サポート部材（８７、１８７）は、前記躯体（７１、１７１）が前記ケーシング（２）内に設けられた状態において前記端子台（８６、１８６）を支持する第１端子台支持部（８７ａ、１８７ａ）と、前記躯体が前記ケーシング内に設けられた状態において前記躯体の上下方向に延びる軸まわりに回動可能に支持される躯体被支持部（８７ｂ、１８７ｂ）とを有しており、
前記躯体被支持部を回動させることによって、前記第１端子台支持部を前記基板面に対して接近又は離反させることが可能である、
請求項２に記載の電装品アセンブリ（７、１０７）。
【請求項４】
前記端子台（８６）は、前記ケーシング（２）内に設けられた状態において、前記ケーシング又は前記仕切板（２８）に固定される、請求項１〜３のいずれかに記載の電装品アセンブリ（７）。
【請求項５】
前記躯体（７１）は、前記端子台（８６）を着脱自在に装着する第２端子台支持部（８９）を有している、請求項１〜４のいずれかに記載の電装品アセンブリ（７）。
【請求項６】
前記躯体（７１）には、前記端子台（８６）が前記第２端子台支持部（８９）に装着された状態において、前記端子台の少なくとも一部が収容される収容開口（７７ｈ）が形成されている、請求項５に記載の電装品アセンブリ（７）。
【請求項７】
前記端子台（１８６）は、前記躯体（１７１）が前記ケーシング（２）内に設けられた状態において、前記第１端子台支持部（１８７ａ）によって前記端子台サポート部材（１８７）の上下方向に延びる軸まわりに回動可能に支持されている、請求項３に記載の電装品アセンブリ（１０７）。
【請求項８】
前記躯体（１７１）は、前記端子台（１８６）及び前記端子台サポート部材（１８７）を前記第１状態に位置決めする第１位置決め部（１８８）を有している、請求項７に記載の電装品アセンブリ（１０７）。
【請求項９】
前記端子台（１８６）は、前記端子台サポート部材（１８７）を前記第２状態に切り換えると、前記ケーシング（２）の平面視における前記躯体（１７１）の外面に沿って配置される、請求項７又は８に記載の電装品アセンブリ（１０７）。
【請求項１０】
前記躯体（１７１）は、前記端子台（１８６）及び前記端子台サポート部材（１８７）を前記第２状態に位置決めする第２位置決め部（１８９）を有している、請求項９に記載の電装品アセンブリ（１０７）。
【請求項１１】
略直方体箱状のケーシング（２）と、
前記ケーシングの内部を送風機室（Ｓ１）と機械室（Ｓ２）とに分割するように鉛直に延びる仕切板（２８）と、
前記機械室に配置される請求項１〜１０のいずれかに記載の電装品アセンブリ（７、１０７）と、
を備えた空気調和装置の室外ユニット（１）。
【発明の詳細な説明】
【技術分野】
【０００１】
本発明は、電装品アセンブリ及びそれを備えた空気調和装置の室外ユニット、特に、略直方体箱状のケーシングの内部が鉛直に延びる仕切板により送風機室と機械室とに分割された構造を有する空気調和装置の室外ユニットにおいて、機械室に配置される電装品アセンブリ及びそれを備えた空気調和装置の室外ユニットに関する。
【背景技術】
【０００２】
従来の空気調和装置の室外ユニットとして、略直方体箱状のケーシングの内部が鉛直方向に延びる仕切板により送風機室と機械室とに分割された構造を有するものがある。この送風機室には、主として、室外熱交換器と室外ファンとが配置されている。また、機械室には、主として、圧縮機と、弁類や冷媒配管等から構成される冷媒回路構成部品と、電装品アセンブリとが配置されている。このような電装品アセンブリは、運転時の冷却が必要なインバータ制御素子（例えば、パワートランジスタ、ダイオード等）が機械室内の仕切板の近傍に配置されるとともに、現地作業時に操作する端子台が機械室内のケーシングの前面を向くように配置されるように構成されている（特許文献１参照）。
【特許文献１】特開平９−２３６２８４号公報
【発明の開示】
【発明が解決しようとする課題】
【０００３】
しかし、上述の電装品アセンブリでは、インバータ制御素子と端子台とを離して配置することになるため、電装品アセンブリ自体としてのサイズが大きくなってしまうことや、現地作業時に操作する端子台の強度を確保する必要性から、室外ユニットとしてのコンパクト化が困難になること、また、電装品アセンブリの大型化により、電装品アセンブリの輸送も効率的に行うことができないという問題がある。
【０００４】
本発明の課題は、略直方体箱状のケーシングの内部が鉛直に延びる仕切板により送風機室と機械室とに分割された構造を有する空気調和装置の室外ユニットにおいて、機械室に配置される電装品アセンブリのコンパクト化を実現しつつ、電装品アセンブリの輸送も効率的に行えるようにすることにある。
【課題を解決するための手段】
【０００５】
第１の発明にかかる電装品アセンブリは、略直方体箱状のケーシングの内部が鉛直に延びる仕切板により送風機室と機械室とに分割された構造を有する空気調和装置の室外ユニットにおいて、機械室に配置される電装品アセンブリであって、躯体と、端子台と、端子台サポート部材とを備えている。躯体は、運転制御素子が実装された制御基板とインバータ制御素子とを含む各種電気部品が装着されており、ケーシング内に設けられた状態において、制御基板の基板面がケーシングの前面に対して傾斜又は直交するように設けられる。端子台は、ケーシング内に設けられた状態において、ケーシングの前面を向くように配置される。端子台サポート部材は、躯体に設けられており、ケーシング内に設けられた状態の端子台を支持する第１状態と、第１状態よりも基板面に対する傾斜が緩い第２状態とに切換可能である。
【０００６】
この電装品アセンブリでは、躯体に制御基板及びインバータ制御素子を装着することで、制御基板とインバータ制御素子とが一体化されてコンパクトになるとともに、躯体の基板面がケーシングの前面に対して傾斜又は直交するように躯体を配置することで、インバータ制御素子の冷却が可能になっている。そして、端子台をケーシングの前面を向くように配置するとともに、躯体に設けられた端子台サポート部材によって支持することで、現地作業時における操作性の確保が得られるようになっている。しかも、この端子台サポート部材は、端子台を支持する第１状態と、第１状態よりも躯体の基板面に対する傾斜が緩い第２状態とに切換可能であるため、電装品アセンブリの輸送時の荷姿をコンパクトにすることができ、これにより、電装品アセンブリの輸送も効率的に行うことができるようになっている。
以上のように、本発明によれば、コンパクト化を実現しつつ、輸送も効率的に行うことができる。
【０００７】
第２の発明にかかる電装品アセンブリは、第１の発明にかかる電装品アセンブリにおいて、端子台サポート部材は、躯体がケーシング内に設けられた状態において、第２状態に切り換えると、ケーシングの平面視における躯体の外側にはみ出さないように配置される。
この電装品アセンブリでは、端子台サポート部材を第２状態に切り換えると、ケーシングの平面視における躯体の外側にはみ出さないように配置されるため、電装品アセンブリの輸送時の荷姿をさらにコンパクトにすることができる。
【０００８】
第３の発明にかかる電装品アセンブリは、第２の発明にかかる電装品アセンブリにおいて、端子台サポート部材は、躯体がケーシング内に設けられた状態において端子台を支持する第１端子台支持部と、躯体がケーシング内に設けられた状態において躯体の上下方向に延びる軸まわりに回動可能に支持される躯体被支持部とを有している。端子台サポート部材は、躯体被支持部を回動させることによって、第１端子台支持部を基板面に対して接近又は離反させることが可能である。
この電装品アセンブリでは、端子台サポート部材が躯体の上下方向に延びる軸まわりに回動可能に支持されているため、第１状態と第２状態との切り換え操作を容易に行うことができる。
【０００９】
第４の発明にかかる電装品アセンブリは、第１〜第３の発明のいずれかにかかる電装品アセンブリにおいて、端子台は、ケーシング内に設けられた状態において、ケーシング又は仕切板に固定される。
この電装品アセンブリでは、躯体とは別に端子台がケーシング又は仕切板に固定されているため、端子台の強度を確保することができる。
【００１０】
第５の発明にかかる電装品アセンブリは、第１〜第４の発明のいずれかにかかる電装品アセンブリにおいて、躯体は、端子台を着脱自在に装着する第２端子台支持部を有している。
【００１１】
この電装品アセンブリでは、躯体に、端子台を着脱自在に装着する第２端子台支持部が設けられているため、電装品アセンブリの輸送時に端子台を躯体に装着しておくことができるとともに、電装品アセンブリをケーシング内に配置する際に躯体から端子台を脱着することができるようになる。これにより、電装品アセンブリの輸送及びケーシング内への電装品アセンブリの設置作業をさらに効率的に行うことができる。
【００１２】
第６の発明にかかる電装品アセンブリは、第５の発明にかかる電装品アセンブリにおいて、躯体には、端子台が第２端子台支持部に装着された状態において、端子台の少なくとも一部が収容される収容開口が形成されている。
この電装品アセンブリでは、端子台が第２端子台支持部に装着された状態において、端子台の少なくとも一部が収容される収容開口が形成されているため、端子台が躯体の外面から極力に突出しないようにすることができ、これにより、電装品アセンブリの輸送時の荷姿をさらにコンパクトにすることができる。
【００１３】
第７の発明にかかる電装品アセンブリは、第３の発明にかかる電装品アセンブリにおいて、端子台は、躯体がケーシング内に設けられた状態において、第１端子台支持部によって端子台サポート部材の上下方向に延びる軸まわりに回動可能に支持されている。
この電装品アセンブリでは、端子台が端子台サポート部材の上下方向に延びる軸まわりに回動可能に支持されているため、第１状態と第２状態との切り換え操作を容易に行うことができる。
【００１４】
第８の発明にかかる電装品アセンブリは、第７の発明にかかる電装品アセンブリにおいて、躯体は、端子台及び端子台サポート部材を第１状態に位置決めする第１位置決め部を有している。
この電装品アセンブリでは、躯体に、端子台及び端子台サポート部材を第１状態に位置決めする第１位置決め部が設けられているため、電装品アセンブリがケーシング内に配置された状態において、端子台がケーシングの前面を向くように配置された状態を保持することができる。
【００１５】
第９の発明にかかる電装品アセンブリは、第７又は第８の発明にかかる電装品アセンブリにおいて、端子台は、端子台サポート部材を第２状態に切り換えると、ケーシングの平面視における躯体の外面に沿って配置される。
この電装品アセンブリでは、端子台サポート部材を第２状態に切り換えると、端子台がケーシングの平面視における躯体の外面に沿って配置されるため、端子台が躯体の外面から極力に突出しないようにすることができ、これにより、電装品アセンブリの輸送時の荷姿をさらにコンパクトにすることができる。
【００１６】
第１０の発明にかかる電装品アセンブリは、第９の発明にかかる電装品アセンブリにおいて、躯体は、端子台及び端子台サポート部材を第２状態に位置決めする第２位置決め部を有している。
この電装品アセンブリでは、躯体に、端子台及び端子台サポート部材を第２状態に位置決めする第２位置決め部が設けられているため、電装品アセンブリの輸送時において、端子台がケーシングの平面視における躯体の外面に沿って配置された状態を保持することができる。
【００１７】
第１１の発明にかかる空気調和装置の室外ユニットは、略直方体箱状のケーシングと、ケーシングの内部を送風機室と機械室とに分割するように鉛直に延びる仕切板と、機械室に配置される第１〜第１０の発明のいずれかにかかる電装品アセンブリとを備えている。
この空気調和装置の室外ユニットでは、第１〜第１０の発明のいずれかにかかる電装品アセンブリを備えているため、ユニット全体のコンパクト化を実現することができる。
【発明の効果】
【００１８】
以上の説明に述べたように、本発明によれば、以下の効果が得られる。
第１の発明では、コンパクト化を実現しつつ、輸送も効率的に行うことができる。
第２の発明では、電装品アセンブリの輸送時の荷姿をさらにコンパクトにすることができる。
第３の発明では、第１状態と第２状態との切り換え操作を容易に行うことができる。
【００１９】
第４の発明では、端子台の強度を確保することができる。
第５の発明では、電装品アセンブリの輸送及びケーシング内への電装品アセンブリの設置作業をさらに効率的に行うことができる。
第６の発明では、電装品アセンブリの輸送時の荷姿をさらにコンパクトにすることができる。
【００２０】
第７の発明では、第１状態と第２状態との切り換え操作を容易に行うことができる。
第８の発明では、電装品アセンブリがケーシング内に配置された状態において、端子台がケーシングの前面を向くように配置された状態を保持することができる。
第９の発明では、電装品アセンブリの輸送時の荷姿をさらにコンパクトにすることができる。
【００２１】
第１０の発明では、電装品アセンブリの輸送時において、端子台がケーシングの平面視における躯体の外面に沿って配置された状態を保持することができる。
第１１の発明では、ユニット全体のコンパクト化を実現できる。
【発明を実施するための最良の形態】
【００２２】
以下、図面に基づいて、本発明にかかる電装品アセンブリ及びそれを備えた空気調和装置の室外ユニットの実施形態について説明する。
（１）室外ユニットの全体構成
図１は、本発明にかかる電装品アセンブリの一実施形態が採用された室外ユニット１の平面図（天板２２と圧縮機５１、室外熱交換器５２及び閉鎖弁６１、６２以外の冷媒回路構成部品５とを取り除いて図示）である。また、図２は、室外ユニット１の正面図（左右前板２３、２４と圧縮機５１、室外熱交換器５２及び閉鎖弁６１、６２以外の冷媒回路構成部品５とを取り除いて図示）である。
【００２３】
この室外ユニット１は、室外に設置されており、略直方体箱状のユニットケーシング２の内部が鉛直に延びる仕切板２８により送風機室Ｓ１と機械室Ｓ２とに分割されたトランク型の構造と呼ばれるものである。この室外ユニット１は、空調室内に配置される室内ユニット（図示せず）に冷媒配管（図示せず）を介して接続されている。室外ユニット１は、主として、略直方体箱状のユニットケーシング２と、室外ファン４と、圧縮機５１や室外熱交換器５２等の機器、液側閉鎖弁６１やガス側閉鎖弁６２等の弁及び配管等の部材を含み冷媒回路を構成する冷媒回路構成部品５と、室外ユニット１の運転制御を行う電装品アセンブリ７とを備えている。尚、以下の説明において、「上」、「下」、「左」、「右」、「前」、「後」、「正面」、「背面」は、特にことわりのない限り、図２に示される室外ユニット１を正面側から見た場合の方向を意味している。
【００２４】
（２）ユニットケーシングの構成
ユニットケーシング２は、主として、底板２１と、天板２２と、左前板２３と、右前板２４と、右側板２５とを備えている。
底板２１は、ユニットケーシング２の底面部分を構成する横長の略長方形状の金属製の板状部材である。底板２１の周縁部は、上向きに折り曲げられている。底板２１の外面には、現地設置面に固定される２つの固定脚２６が設けられている。固定脚２６は、ユニットケーシング２の正面視において略Ｕ字形状を有し、ユニットケーシング２の前側から後側に向かって延びる金属製の板状部材である。
【００２５】
天板２２は、室外ユニット１の天面部分を構成する横長の略長方形状の金属製の板状部材である。
左前板２３は、主として、ユニットケーシング２の左前面部分及び左側面部分を構成する金属製の板状部材であり、その下部が底板２１にネジ等により固定されている。左前板２３には、室外ファン４によってユニットケーシング２内に吸入される空気の吸入口２３ａが形成されている。また、左前板２３には、室外ファン４によってユニットケーシング２の背面側及び左側面側から内部に取り込まれた空気を外部に吹き出すための吹出口２３ｂが設けられている。吹出口２３ｂは、上下２つ形成されており、それぞれにファングリル２７が設けられている。
【００２６】
右前板２４は、主として、ユニットケーシング２の右前面部分及び右側面の前部を構成する金属製の板状部材であり、その下部が底板２１にネジ等により固定されている。また、右前板２４は、その左端部が左前板２３の右端部にネジ等により固定されている。
右側板２５は、主として、ユニットケーシング２の右側面の後部及び右背面部分を構成する金属製の板状部材であり、その下部が底板２１にネジ等により固定されている。そして、左前板２３の後端部と右側板２５の背面側端部と左右方向間には、室外ファン４によってユニットケーシング２内に吸入される空気の吸入口２３ｃが形成されている。
【００２７】
このようなユニットケーシング２内には、仕切板２８と管板２９とが設けられている。仕切板２８は、底板２１上に配置される鉛直に延びる金属製の板状部材であり、ユニットケーシング２の内部を左右２つの空間に仕切るように配置されている。仕切板２８は、本実施形態において、ユニットケーシング２の平面視において、送風機室Ｓ１側に突出するように屈曲した形状を有している。管板２９は、ユニットケーシング２の左側面から背面に沿うように配置された略Ｌ字形状の室外熱交換器５２の右端面に対向するように設けられた金属製の板状部材であり、その下部が底板２１にネジ等により固定されている。そして、管板２９のユニットケーシング前面側の端部と仕切板２８のユニットケーシング背面側の端部とは、互いにネジ等により固定されている。また、左前板２３の右端部は、仕切板２８の前端部にネジ等により固定されている。右側板２５の背面側の端部は、管板２９のユニットケーシング背面側の端部にネジ等により固定されている。
【００２８】
このように、ユニットケーシング２は、その内部が仕切板２８により送風機室Ｓ１と機械室Ｓ２とに分割されている。より具体的には、送風機室Ｓ１は、底板２１と、天板２２と、左前板２３と、仕切板２８とによって囲まれた空間であり、主として、室外ファン４や室外熱交換器５２が配置されている。機械室Ｓ２は、底板２１と、天板２２と、右前板２４と、右側板２５と、仕切板２８とによって囲まれた空間であり、主として、室外熱交換器５２以外の冷媒回路構成部品５と、電装品アセンブリ７とが配置されている。そして、ユニットケーシング２では、右前板２４を取り外すことによって、機械室Ｓ２の内部が見えるようになっている。すなわち、右前板２４は、室外ユニット１の機械室Ｓ２内に収容された冷媒回路構成部品５や電装品アセンブリ７のメンテナンス等の現地作業を行う際に取り外されることになる。
【００２９】
（３）室外ファンの構成
室外ファン４は、複数の翼を有するプロペラファンであり、送風機室Ｓ１内の室外熱交換器５２の前側に配置されている。本実施形態において、室外ファン４は、吹出口２３ｂに対向するように、送風機室Ｓ１内に上下２つ配置されている。これらの室外ファン４は、それぞれ、室外ファン用電動機４ａによって回転駆動されるように構成されている。室外ファン４を駆動すると、ユニットケーシング２の背面及び左側面の吸入口２３ａ、２３ｃを通じて、内部に空気が取り込まれて、室外熱交換器５２を通過した後、ユニットケーシング２の前面の吹出口２３ｂからユニットケーシング２の外部へ空気が吹き出されるようになっている。
【００３０】
（４）冷媒回路構成部品の構成
圧縮機５１は、圧縮機用電動機をハウジング内に内蔵する密閉型圧縮機であり、機械室Ｓ２内に配置されている。ここで、圧縮機用電動機は、電装品アセンブリ７によって周波数制御が可能な、いわゆるインバータタイプの電動機である。圧縮機５１は、本実施形態において、ユニットケーシング２の全高の１／３〜１／２程度の高さの縦型円筒形状を有し、その下部が底板２１に固定されている。また、圧縮機５１は、ユニットケーシング２の平面視において、機械室Ｓ２の前後方向中央付近に、かつ、機械室Ｓ２の仕切板２８付近に配置されている。
【００３１】
室外熱交換器５２は、送風機室Ｓ１内に配置されており、室外ファン４によってユニットケーシング２内に取り込まれた空気との間で熱交換を行う。室外熱交換器５２は、ユニットケーシング２の平面視において略Ｌ字形状を有し、ユニットケーシング２の左側面から背面に沿うように配置されている。
ユニットケーシング２内には、室内ユニット側の冷媒配管が接続される液側閉鎖弁６１及びガス側閉鎖弁６２が配置されている。より具体的には、液側閉鎖弁６１及びガス側閉鎖弁６２は、機械室Ｓ２の前部の右前板２４に対向する位置に配置されている。本実施形態において、液側閉鎖弁６１及びガス側閉鎖弁６２は、左前板２３の右端部と右側板２５の前端部との間に掛け渡されるように設けられた細長い板状の閉鎖弁サポート部材３０に支持されている。閉鎖弁サポート部材３０は、機械室Ｓ２内において、圧縮機５１の上端付近の高さ位置に配置されている。
【００３２】
（５）電装品アセンブリの構成
電装品アセンブリ７は、運転制御を行うための運転制御素子が実装された制御基板９１やインバータ制御素子９２等の各種電気部品を有しており、本実施形態において、機械室Ｓ２内の上部の仕切板２８付近に配置されている。電装品アセンブリ７は、主として、躯体７１と、端子台８６と、端子台サポート部材８７とを有している。
【００３３】
次に、電装品アセンブリ７の構成について、図３〜図６を用いて、詳細に説明する。ここで、図３は、機械室Ｓ２内に設けられた状態の電装品アセンブリ７を下から見た図である。図４は、機械室Ｓ２内に設けられた状態の電装品アセンブリ７を図１のＡ方向から見た図である。図５は、機械室Ｓ２内に設けられた状態の電装品アセンブリ７を図１のＢ方向から見た図である。図６は、図５から仕切板２８を取り除いた状態の電装品アセンブリ７を示す図である。
【００３４】
躯体７１は、運転制御素子が実装された制御基板９１とインバータ制御素子９２とを含む各種電気部品が装着される樹脂製の略直方体箱状の部材であり、主として、制御基板９１及びインバータ制御素子９２を含む各種電気部品が装着される基板取付プレート７２と、制御基板９１を覆う基板保護プレート７６とを有している。
基板取付プレート７２は、電装品アセンブリ７が機械室Ｓ２内に設けられた状態において、送風機室Ｓ１側に配置される部材であり、主として、ユニットケーシング２の前面（すなわち、左右前板２３、２４の前面部分）に対して傾斜しかつ鉛直に延びる第１プレート部としての取付プレート部７３と、取付プレート部７３の外周縁から反送風機室Ｓ１側に向かって延びる取付フレーム部７４とを有している。矢印Ａ又は矢印Ｂ方向から見た取付プレート部７３の略中央には、取付プレート開口７３ａが形成されている。そして、取付プレート部７３の反送風機室Ｓ１側の面には、取付プレート開口７３ａに対向する位置に、インバータ制御素子９２が装着されている。インバータ制御素子９２は、例えば、パワートランジスタやダイオード等の運転時に高温発熱する電気部品である。また、取付プレート部７３の反送風機室Ｓ１側の面には、運転制御素子が実装された制御基板９１が取付プレート部７３の面に平行な状態で、複数のネジ９３を用いて装着されている。すなわち、制御基板９１の基板面は、取付プレート部７３と同様に、ユニットケーシング２の前面に対して傾斜しかつ鉛直に延びていることになる。そして、制御基板９１は、本実施形態において、取付プレート部７３の反送風機室Ｓ１側の面との間にインバータ制御素子９２を挟むように配置されており、インバータ制御素子９２と一体となっている。また、取付プレート部７３の送風機室Ｓ１側の面には、取付プレート開口７３ａを覆うように、ヒートシンク９４が装着されている。ヒートシンク９４は、主として、取付プレート部７３の送風機室Ｓ１側の面に装着されるフランジ部９４ａと、フランジ部９４ａの送風機室Ｓ１側の面から送風機室Ｓ１内に向かって突出する水平な複数の冷却フィン９４ｂとを有している。フランジ部９４ａは、略矩形状のプレート部分である。そして、取付プレート部７３の送風機室Ｓ１側の面には、フランジ部９４ａの外周縁を囲むように、送風機室Ｓ１側に突出する環状突出部７３ｃが形成されている。
【００３５】
基板保護プレート７６は、電装品アセンブリ７が機械室Ｓ２内に設けられた状態において、基板取付プレート７２の反送風機室Ｓ１側に配置される部材であり、主として、ユニットケーシング２の前面（すなわち、左右前板２３、２４の前面部分）に対して傾斜しかつ鉛直に延びる保護プレート部７７と、保護プレート部７７の外周縁から送風機室Ｓ１側に向かって延びる保護フレーム部７８とを有している。保護プレート部７７は、主として、電装品アセンブリ７が機械室Ｓ２内に設けられた状態において、ユニットケーシング２の前面寄りの前側保護プレート部７７ａと、前側保護プレート部７７ａよりもユニットケーシング２の前面から遠い側の後側保護プレート部７７ｂとを有している。後側保護プレート部７７ｂは、矢印Ａ方向から見た保護プレート部７７の左右方向略中央に形成された段差を介して前側保護プレート部７７ａに対して矢印Ｂ方向に突出した状態で一体となっている。前側保護プレート部７７ａ及び後側保護プレート部７７ｂは、取付プレート部７３の面に平行に配置されている。保護フレーム部７８は、取付フレーム部７４と矢印Ａ又は矢印Ｂ方向に直交する方向から見た際に、互いの矢印Ａ又は矢印Ｂ方向の端部が重なるように配置されている。そして、基板保護プレート７６は、保護フレーム部７８又は取付フレーム部７４に形成された係合爪やネジ等を用いて基板取付プレート７２に装着されている。また、前側保護プレート部７７ａの外面（すなわち、基板保護プレート７６を矢印Ａ方向から見た面）には、制御基板９１とは別に、運転制御素子のうちで視認性及びサービス性を必要とする高アクセス頻度制御素子（例えば、ＬＥＤ等からなる表示素子９８ａやスイッチやコネクタ等からなる操作素子９８ｂ）が実装された第１補助基板９８が装着されている。ここで、第１補助基板９８は、前側保護プレート部７７ａの外面に形成された複数（ここでは、４つ）の係止爪７７ｃを含む第１補助基板装着部７９において固定されている。さらに、電装品アセンブリ７が機械室Ｓ２内に設けられた状態において、前側保護プレート部７７ａの第１補助基板装着部７９の下側、後側保護プレート部７７ｂの上部及び後側保護プレート部７７ｂの下部には、それぞれ、付加機能（例えば、通信機能やデマンド制御機能等）を追加する際に必要な付加機能用制御素子が実装された第２補助基板９９ａ、９９ｂ及び９９ｃを装着することができるようになっている。ここで、第２補助基板９９ａは、前側保護プレート部７７ａの外面に形成された複数（ここでは、４つ）の係止爪７７ｄを含む第２補助基板装着部８０ａにおいて固定できるようになっている。第２補助基板９９ｂは、後側保護プレート部７７ｂの外面に形成された複数（ここでは、３つ）のネジ孔７７ｅを含む第２補助基板装着部８０ｂにおいて固定できるようになっている。第２補助基板９９ｃは、後側保護プレート部７７ｂの外面に形成された複数（ここでは、３つ）の係止爪７７ｆを含む第２補助基板装着部８０ｃにおいて固定できるようになっている。尚、躯体７１（すなわち、基板保護プレート７６）を矢印Ａ方向から見た際においても、ユニットケーシング２の側面（すなわち、右前板２４の側面部分及び右側板２５の側面部分）によって隠れてしまうことなく、高アクセス頻度制御素子９８ａ、９８ｂのすべて（すなわち、第１補助基板９８全体）を視認することができるように、ユニットケーシング２の前面に対して傾斜している。より具体的には、躯対７１は、躯体７１（すなわち、基板保護プレート７６）を矢印Ａ方向から見た際において、ユニットケーシング２の側面の前端が板保護プレート７６の上下方向に延びる段差とほぼ重なるように、ユニットケーシング２の前面に対して傾斜している。
【００３６】
また、電装品アセンブリ７が機械室Ｓ２内に設けられた状態において、躯体７１の上面にはリアクトル９６が金属製のリアクトル取付プレート８５を介して装着されており、躯体７１の下面にはノイズフィルタ９７が装着されている。
そして、上述のような各種電気部品やヒートシンク９４が装着された躯体７１には、取付プレート部７３の送風機室Ｓ１側の面を覆うように躯体支持プレート８１が固定されている。躯体支持プレート８１は、金属製の部材であり、主として、電装品アセンブリ７が機械室Ｓ２内に設けられた状態において、取付プレート部７３の送風機室Ｓ１側の面に接する第２プレート部としての支持プレート部８２と、支持プレート部８２の両側縁から仕切板２８の屈曲面に沿って延びる前側延出部８３及び後側延出部８４とを有している。ここで、支持プレート部８２は、取付プレート部７３の下部を除くほぼ全面を覆っており、取付プレート部７３に形成された環状突出部７３ｃの外周側を囲むように第２開口としての支持プレート開口８２ａが形成されている。これにより、躯体７１に装着されたヒートシンク９４の複数の冷却フィン９４ｂは、躯体７１が躯体支持プレート８１に固定された状態において、支持プレート開口８２ａを貫通して支持プレート部８２の送風機室Ｓ１側に突出している。また、支持プレート部８２には、その下端が送風機室Ｓ１側に向かって延びた後に下方に延びる舌部８２ｂが折り曲げ等により形成されている。そして、躯体支持プレート８１は、躯体７１が固定された状態において、例えば、前側延出部８３、後側延出部８４又は支持プレート部８２に形成された係合爪やネジ等を用いて仕切板２８に固定されている。ここで、仕切板２８には、送風機室Ｓ１と機械室Ｓ２とを連通するように第１開口としての略矩形状の仕切板開口２８ａが形成されている。仕切板開口２８ａは、支持プレート開口８２ａに対向しかつ矢印Ｂ方向から見た際に支持プレート開口８２ａ及び支持プレート部８２の下端を囲むように形成されている。これにより、ヒートシンク９４の複数の冷却フィン９４ｂ及び躯体支持プレート８１の舌部８２ｂは、躯体支持プレート８１を介して躯体７１が仕切板２８に固定された状態において、送風機室Ｓ１内に突出しており、インバータ制御素子９２の運転時の冷却を行うことができるようになっている。また、躯体７１は、機械室Ｓ２内に設けられた状態において、制御基板９１の基板面が仕切板２８に沿うようにかつユニットケーシング２の前面に対して傾斜するように設けられている。しかも、躯体７１の角部は、機械室Ｓ２内に設けられた状態の電装品アセンブリ７を上から見た際に、躯体支持プレート８１を介して、仕切板２８の屈曲面に沿うように接している。
【００３７】
端子台８６は、主として、電源接続用の複数の端子部を有する端子台本体８６ａと、端子台本体８６ａの背面が固定される端子台固定プレート８６ｂとを有している。電装品アセンブリ７が機械室Ｓ２内に設けられた状態において、端子台８６は、端子台本体８６ａの端子部がユニットケーシング２の前面を向くように配置されており、端子台固定プレート８６ｂの仕切板２８側の一端が仕切板２８に固定されている。尚、端子台固定プレート８６ｂの一端が左前板２３の前部に固定されてもよい。
【００３８】
端子台サポート部材８７は、電装品アセンブリ７が機械室Ｓ２内に設けられた状態において端子台８６を支持する第１端子台支持部８７ａと、電装品アセンブリ７が機械室Ｓ２内に設けられた状態において躯体７１の上下方向に延びる軸である係合軸７１ａまわり（軸中心をＯとする）に回動可能に支持される躯体被支持部８７ｂとを有する棒状の部材である。端子台サポート部材８７は、躯体被支持部８７ｂを回動させることによって、第１端子台支持部８７ａを制御基板９１の基板面に対して接近又は離反させることが可能である。そして、端子台固定プレート８６ｂの他端は、端子台サポート部材８７を角度αだけ傾斜させた第１状態にして第１端子台支持部８７ａに装着されることにより支持されている。
【００３９】
このように、本実施形態の電装品アセンブリ７では、躯体７１とは別に端子台８６をユニットケーシング２の前面を向くように仕切板２８に固定するとともに、躯体７１に設けられた端子台サポート部材８７によって支持されている。
本実施形態の電装品アセンブリ７では、端子台８６及び端子台サポート部材８７を躯体７１に収納することができるようになっている。このような端子台８６及び端子台サポート部材８７の収納構造について、図１、図３、図４、図７及び図８を用いて説明する。ここで、図７は、端子台８６及び端子台サポート部材８７が躯体７１に収納された状態の電装品アセンブリを下から見た図である。図８は、端子台８６及び端子台サポート部材８７が躯体７１に収納された状態の電装品アセンブリを図１のＡ方向から見た図である。
【００４０】
上述のように、端子台サポート部材８７の躯体被支持部８７ｂを回動させることで端子台サポート部材８７を角度αだけ傾斜させた状態（以下、第１状態とする）においては、端子台８６がユニットケーシング２の前面を向くように配置されるが、その分だけ、ユニットケーシング２の平面視における躯体７１の外側に（具体的には、基板保護プレート７６の外面から）、端子台８６及び端子台サポート部材８７がはみ出すことになる。このため、このままでは、電装品アセンブリ７を単体で輸送する場合の荷姿が大きくなってしまい、電装品アセンブリ７の輸送を効率的に行うことができない。
【００４１】
そこで、本実施形態の電装品アセンブリ７では、端子台サポート部材８７の躯体被支持部８７ｂを回動させることにより、躯体７１の基板面に対する端子台サポート部材８７の傾斜が第１状態よりも緩い（ここでは、躯体７１の基板面と平行な）第２状態に切り換え可能になっている。しかも、端子台サポート部材８７を第２状態にすると、ユニットケーシング２の平面視における躯体７１の外側に（具体的には、基板保護プレート７６の外側から）はみ出さないように配置されるようになっている。
【００４２】
また、端子台サポート部材８７を第２状態に切り換える際には、第１端子台支持部８７ａから端子台８６を取り外すが、ここで、端子台サポート部材８７の第１端子台支持部８７ａには端子台係合爪８７ｃが形成されており、この端子台係合爪８７ｃが端子台８６の端子台固定プレート８６ｂの他端に形成された係合孔８６ｃに嵌め込まれた装着構造であるため、端子台係合爪８７ｃを弾性変形させることによって、第１端子台支持部８７ａから端子台８６を容易に取り外すことができるようになっている。逆に、第１端子台支持部８７ａに端子台８６を装着する場合には、端子台係合爪８７ｃを弾性変形させることで係合孔８６ｃに容易に嵌め込むことができるようになっている。
【００４３】
さらに、端子台サポート部材８７から端子台８６を取り外して端子台サポート部材８７を第２状態に切り換えた後には、端子台８６を躯体７１に着脱自在に装着することができるようになっている。具体的には、躯体７１を構成する基板保護プレート７６の保護プレート部７７（ここでは、後側保護プレート部７７ｂ）の外面に形成された複数（ここでは
、２つ）の係止爪７７ｇを含む第２端子台支持部８９に装着することができるようになっている。このとき、端子台８６は、端子台本体８６ａが、電装品アセンブリ７が機械室Ｓ２内に設けられた状態における送風機室Ｓ１側を向くように、すなわち、端子台固定プレート８６ｂが保護プレート部７７に沿うように装着される。しかも、躯体７１（具体的には、保護プレート部７７の前側保護プレート部７７ａ）には、端子台８６が第２端子台支持部８９に装着された状態における端子台本体８６ａに対向する位置に、収容開口としての保護プレート開口７７ｈが形成されているため、端子台８６が第２端子台支持部８９に装着された状態において、端子台８６（具体的には、端子台本体８６ａ）の少なくとも一部が躯体７１内に収容されるようになっている。
【００４４】
（６）本実施形態の電装品アセンブリ及びそれを備えた室外ユニットの特徴
本実施形態の電装品アセンブリ７及びそれを備えた室外ユニット１には、以下のような特徴がある。
（Ａ）
本実施形態の電装品アセンブリ７及びそれを備えた室外ユニット１では、躯体７１に制御基板９１及びインバータ制御素子９２を装着することで、制御基板９１とインバータ制御素子９２とが一体化されてコンパクトになるとともに、躯体７１の基板面がユニットケーシング２の前面に対して傾斜又は直交するように躯体７１を配置することで、インバータ制御素子９２の冷却が可能になっている。そして、このような躯体７１とは別に端子台８６をユニットケーシング２の前面を向くようにユニットケーシング２又は仕切板２８に固定するとともに、躯体７１に設けられた端子台サポート部材８７によって支持することで、現地作業時における操作性の確保と端子台８６の強度の確保とが得られるようになっている。しかも、この端子台サポート部材８７は、端子台８６を支持する第１状態と、第１状態よりも躯体７１の基板面に対する傾斜が緩い第２状態とに切換可能であるため、電装品アセンブリ７の輸送時の荷姿をコンパクトにすることができ、これにより、電装品アセンブリ７の輸送も効率的に行うことができるようになっている。
以上のように、本発明によれば、コンパクト化及び端子台の強度確保を実現しつつ、輸送も効率的に行うことができる。また、室外ユニット１全体のコンパクト化も実現することができる。
【００４５】
（Ｂ）
本実施形態の電装品アセンブリ７では、端子台サポート部材８７を第２状態に切り換えると、ユニットケーシング２の平面視における躯体７１の外側にはみ出さないように配置されるため、電装品アセンブリ７の輸送時の荷姿をさらにコンパクトにすることができる。
【００４６】
（Ｃ）
本実施形態の電装品アセンブリ７では、端子台サポート部材８７が躯体７１の上下方向に延びる軸（具体的には、係合軸７１ａ）まわりに回動可能に支持されているため、第１状態と第２状態との切り換え操作を容易に行うことができる。
（Ｄ）
本実施形態の電装品アセンブリ７では、躯体７１に、端子台８６を着脱自在に装着する第２端子台支持部８９（具体的には、後側保護プレート部７７ｂの外面に形成された係止爪７７ｇ）が設けられているため、電装品アセンブリ７の輸送時に端子台８６を躯体７１に装着しておくことができるとともに、電装品アセンブリ７をユニットケーシング２内に配置する際に躯体７１から端子台８６を脱着することができるようになる。これにより、電装品アセンブリ７の輸送及びユニットケーシング２内への電装品アセンブリ７の設置作業をさらに効率的に行うことができる。
【００４７】
（Ｅ）
本実施形態の電装品アセンブリ７では、端子台８６が第２端子台支持部８９に装着された状態において、端子台８６の少なくとも一部が収容される保護プレート開口７７ｈが形成されているため、端子台８６が躯体７１の外面から極力に突出しないようにすることができ、これにより、電装品アセンブリ７の輸送時の荷姿をさらにコンパクトにすることができる。
【００４８】
（７）変形例
上述の実施形態の電装品アセンブリ７では、端子台８６がユニットケーシング２又は仕切板２８にユニットケーシング２の前面を向くように固定されるとともに、躯体７１に設けられた端子台サポート部材８７によって支持された構造であったが、図９及び図１０に示される本変形例の電装品アセンブリ１０７のように、端子台１８６が躯体１７１に設けられた端子台サポート部材１８７によって支持された構造であってもよい。以下に、本変形例の電装品アセンブリ１０７について説明する。尚、電装品アセンブリ１０７のうち端子台１８６、端子台サポート部材１８７及び躯体１７１の一部（具体的には、位置決め部１８８、１８９）を除く各部は、上述の実施形態の電装品アセンブリ７の各部と同様であるため、ここでは説明を省略する。
【００４９】
端子台１８６は、上述の実施形態の電装品アセンブリ７の端子台８６と同様、主として、電源接続用の複数の端子部を有する端子台本体１８６ａと、端子台本体１８６ａの背面が固定される端子台固定プレート１８６ｂとを有している。電装品アセンブリ１０７が機械室Ｓ２内に設けられた状態において、端子台１８６は、上述の実施形態の電装品アセンブリ７の端子台１８６と同様、端子台本体１８６ａの端子部がユニットケーシング２の前面を向くように配置されている。但し、本変形例の端子台１８６は、上述の実施形態の電装品アセンブリ７の端子台とは異なり、端子台固定プレート１８６ｂの仕切板２８側の一端が仕切板２８や左前板２３の前部に固定されていない。
【００５０】
次に、端子台サポート部材１８７は、上述の実施形態の電装品アセンブリ７の端子台サポート部材８７と同様、電装品アセンブリ１０７が機械室Ｓ２内に設けられた状態において端子台１８６を支持する第１端子台支持部１８７ａと、電装品アセンブリ１０７が機械室Ｓ２内に設けられた状態において躯体１７１の上下方向に延びる軸である係合軸１７１ａまわり（軸中心をＯとする）に回動可能に支持される躯体被支持部１８７ｂとを有する棒状の部材である。端子台サポート部材１８７は、躯体被支持部１８７ｂを回動させることによって、第１端子台支持部１８７ａを制御基板９１の基板面に対して接近又は離反させることが可能である。また、第１端子台支持部１８７ａには、電装品アセンブリ１０７が機械室Ｓ２内に設けられた状態において躯体１７１の上下方向に延びる軸である係合軸１８７ｃまわり（軸中心をＰとする）が形成されており、この係合軸１８７ｃに端子台固定プレート１８６ｂの背面に形成された端子台被支持部１８６ｃが回動可能に支持されている。そして、端子台１８６は、端子台サポート部材１８７が制御基板９１の基板面に対して角度βだけ傾斜した状態にされ、さらに、端子台固定プレート１８６ｂが端子台サポート部材１８７に対して角度γだけ傾斜した状態にされることで、ユニットケーシング２の前面を向くように配置されている（以下、この状態を第１状態とする）。しかも、端子台固定プレート１８６ｂの一端（ここでは、仕切板２８側の端部）は、上述の第１状態を保持したままで、躯体１７１に支持されている。より具体的には、端子台固定プレート１８６ｂの一端に形成された爪部１８６ｄが躯体１７１に形成された第１位置決め部としての切り欠き部１７１ｂに係合している。すなわち、切り欠き部１７１ｂは、端子台１８６及び端子台サポート部材１８７を第１状態に位置決めする機能を有している。
【００５１】
このように、本変形例の電装品アセンブリ１０７では、躯体１７１に設けられた端子台サポート部材１８７を介して、躯体１７１と一体の端子台８６がユニットケーシング２の前面を向くように配置されており、端子台サポート部材１８７及び躯体１７１に形成された切り欠き部１７１ｂによって支持されている。
本変形例の電装品アセンブリ１０７では、上述の実施形態の電装品アセンブリ７と同様、端子台１８６及び端子台サポート部材１８７を躯体１７１に収納することができるようになっている。このような端子台１８６及び端子台サポート部材１８７の収納構造について説明する。
【００５２】
上述のように、端子台サポート部材１８７の躯体被支持部１８７ｂ及び端子台固定プレート１８６ｂの端子台被支持部１８６ｃを回動させることで第１状態にすると、端子台８６がユニットケーシング２の前面を向くように配置されるが、その分だけ、ユニットケーシング２の平面視における躯体１７１の外側に（具体的には、基板保護プレート７６の外面から）、端子台１８６及び端子台サポート部材１８７がはみ出すことになる。このため、このままでは、電装品アセンブリ１０７を単体で輸送する場合の荷姿が大きくなってしまい、電装品アセンブリ１０７の輸送を効率的に行うことができない。
【００５３】
そこで、本実施形態の電装品アセンブリ１０７では、端子台サポート部材１８７の躯体被支持部１８７ｂを回動させることにより、躯体１７１の基板面に対する端子台サポート部材１８７の傾斜が第１状態における角度βよりも緩い（ここでは、躯体１７１の基板面に対して角度δだけ傾斜した）状態とし、かつ、端子台固定プレート１８６ｂの端子台被支持部１８６ｃを回動させることにより、躯体１７１の基板面に対する端子台サポート部材１８７の傾斜が第１状態における角度γよりも緩い（ここでは、端子台サポート部材に対して角度εだけ傾斜した）状態とした状態である第２状態に切り換え可能になっている。しかも、端子台固定プレート１８６ｂの他端（ここでは、反仕切板２８側の端部）は、上述の第２状態を保持したままで、躯体１７１に支持されている。より具体的には、端子台固定プレート１８６ｂの他端が躯体１７１に形成された第２位置決め部としての爪部１７１ｃに係合している。この爪部１７１ｃは、例えば、上述の実施形態の電装品アセンブリ７の躯体７１に形成された係止爪７７ｇのように、端子台固定プレート１８６ｂの他端を躯体１７１の保護プレート部７７に沿うように装着することができる部分である。すなわち、爪部１７１ｃは、端子台１８６及び端子台サポート部材１８７を第２状態に位置決めする機能を有している。そして、端子台サポート部材１８７及び端子台固定プレート１８６ｂを第２状態に切り換えると、端子台１８６がユニットケーシング２の平面視における躯体１７１の外面に沿って配置されるため、端子台１８６が躯体１７１の外面から極力に突出しないようにすることができ、これにより、電装品アセンブリ１０７の輸送時の荷姿をさらにコンパクトにすることができる。
【００５４】
このように、本変形例の電装品アセンブリ１０７では、端子台１８６を取り外すことなく、端子台サポート部材１８７及び端子台固定プレート１８６ｂを第２状態に切り換えるだけで、躯体１７１に収容することができるようになっている。
（８）他の実施形態
以上、本発明の実施形態について図面に基づいて説明したが、具体的な構成は、これらの実施形態に限られるものではなく、発明の要旨を逸脱しない範囲で変更可能である。
【００５５】
例えば、上述の実施形態においては、制御基板９１の基板面がユニットケーシング２の前面に対して傾斜するように躯体７１が配置されているが、制御基板９１の基板面がユニットケーシング２の前面に対して傾斜するように躯体７１が直交するように配置されていてもよい。
【産業上の利用可能性】
【００５６】
本発明を利用すれば、略直方体箱状のケーシングの内部が鉛直に延びる仕切板により送風機室と機械室とに分割された構造を有する空気調和装置の室外ユニットにおいて、機械室に配置される電装品アセンブリのコンパクト化を実現しつつ、電装品アセンブリの輸送も効率的に行うことができる。
【図面の簡単な説明】
【００５７】
【図１】本発明にかかる電装品アセンブリの一実施形態が採用された室外ユニットの平面図（天板と圧縮機、室外熱交換器及び閉鎖弁以外の冷媒回路構成部品とを取り除いて図示）である。
【図２】室外ユニットの正面図（左右前板と圧縮機、室外熱交換器及び閉鎖弁以外の冷媒回路構成部品とを取り除いて図示）である。
【図３】機械室内に設けられた状態の電装品アセンブリを下から見た図である。
【図４】機械室内に設けられた状態の電装品アセンブリを図１のＡ方向から見た図である。
【図５】機械室内に設けられた状態の電装品アセンブリを図１のＢ方向から見た図である。
【図６】図５から仕切板を取り除いた状態を示す図である。
【図７】端子台及び端子台サポート部材が躯体に収納された状態の電装品アセンブリを下から見た図である。
【図８】端子台及び端子台サポート部材が躯体に収納された状態の電装品アセンブリを図１のＡ方向から見た図である。
【図９】変形例にかかる電装品アセンブリを示す図であって、図３に対応する図である。
【図１０】変形例にかかる電装品アセンブリを示す図であって、図７に対応する図である。
【符号の説明】
【００５８】
１  室外ユニット
２  ユニットケーシング
７、１０７  電装品アセンブリ
２８  仕切板
７１、１７１  躯体
７７ｈ  保護プレート開口（収容開口）
８６、１８６  端子台
８７、１８７  端子台サポート部材
８７ａ、１８７ａ  第１端子台支持部
８７ｂ、１８７ｂ  躯体被支持部
８９  第２端子台支持部
９１  制御基板
９２  インバータ制御素子
１８８  第１位置決め部
１８９  第２位置決め部
Ｓ１  送風機室
Ｓ２  機械室
【図１】
2007127377.tif 000003
【図２】
2007127377.tif 000004
【図３】
2007127377.tif 000005
【図４】
2007127377.tif 000006
【図５】
2007127377.tif 000007
【図６】
2007127377.tif 000008
【図７】
2007127377.tif 000009
【図８】
2007127377.tif 000010
【図９】
2007127377.tif 000011
【図１０】
2007127377.tif 000012
【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
略直方体箱状のケーシング（２）の内部が鉛直に延びる仕切板（２８）により送風機室（Ｓ１）と機械室（Ｓ２）とに分割された構造を有する空気調和装置の室外ユニットにおいて、前記機械室に配置される電装品アセンブリであって、
運転制御素子が実装された制御基板（９１）とインバータ制御素子（９２）とを含む各種電気部品が装着されており、前記ケーシング内に設けられた状態において、前記制御基板の基板面が前記ケーシングの前面に対して傾斜又は直交するように設けられる躯体（７１）と、
前記ケーシング内に設けられた状態において、前記ケーシングの前面を向くように配置される端子台（８６、１８６）と、
前記躯体に設けられており、前記躯体が前記ケーシング内に設けられた状態において前記端子台を支持する第１端子台支持部（８７ａ、１８７ａ）と、前記躯体が前記ケーシング内に設けられた状態において前記躯体の上下方向に延びる軸まわりに回動可能に支持される躯体被支持部（８７ｂ、１８７ｂ）とを有し、前記躯体被支持部を回動させることで前記第１端子台支持部を前記基板面に対して離反させて前記ケーシング内に設けられた状態の前記端子台を支持する第１状態と、前記躯体被支持部を回動させることで前記第１端子台支持部を前記基板面に対して接近させて前記第１状態よりも前記基板面に対する傾斜が緩い第２状態とに切換可能な端子台サポート部材（８７、１８７）と、
を備えた電装品アセンブリ（７、１０７）。
【請求項２】
前記端子台サポート部材（８７、１８７）は、前記躯体（７１、１７１）が前記ケーシング（２）内に設けられた状態において、前記第２状態に切り換えると、前記ケーシングの平面視における前記躯体の外側にはみ出さないように配置される、請求項１に記載の電装品アセンブリ（７、１０７）。
【請求項３】
前記端子台（８６）は、前記ケーシング（２）内に設けられた状態において、前記ケーシング又は前記仕切板（２８）に固定される、請求項１又は２に記載の電装品アセンブリ（７）。
【請求項４】
前記躯体（７１）は、前記端子台（８６）を着脱自在に装着する第２端子台支持部（８９）を有している、請求項１〜３のいずれかに記載の電装品アセンブリ（７）。
【請求項５】
前記躯体（７１）には、前記端子台（８６）が前記第２端子台支持部（８９）に装着された状態において、前記端子台の少なくとも一部が収容される収容開口（７７ｈ）が形成されている、請求項４に記載の電装品アセンブリ（７）。
【請求項６】
前記端子台（１８６）は、前記躯体（１７１）が前記ケーシング（２）内に設けられた状態において、前記第１端子台支持部（１８７ａ）によって前記端子台サポート部材（１８７）の上下方向に延びる軸まわりに回動可能に支持されている、請求項１又は２に記載の電装品アセンブリ（１０７）。
【請求項７】
前記躯体（１７１）は、前記端子台（１８６）及び前記端子台サポート部材（１８７）を前記第１状態に位置決めする第１位置決め部（１８８）を有している、請求項６に記載の電装品アセンブリ（１０７）。
【請求項８】
前記端子台（１８６）は、前記端子台サポート部材（１８７）を前記第２状態に切り換えると、前記ケーシング（２）の平面視における前記躯体（１７１）の外面に沿って配置される、請求項６又は７に記載の電装品アセンブリ（１０７）。
【請求項９】
前記躯体（１７１）は、前記端子台（１８６）及び前記端子台サポート部材（１８７）を前記第２状態に位置決めする第２位置決め部（１８９）を有している、請求項８に記載の電装品アセンブリ（１０７）。
【請求項１０】
略直方体箱状のケーシング（２）と、
前記ケーシングの内部を送風機室（Ｓ１）と機械室（Ｓ２）とに分割するように鉛直に延びる仕切板（２８）と、
前記機械室に配置される請求項１〜９のいずれかに記載の電装品アセンブリ（７、１０７）と、
を備えた空気調和装置の室外ユニット（１）。
【手続補正２】
【補正対象書類名】明細書
【補正対象項目名】全文
【補正方法】変更
【補正の内容】
【発明の詳細な説明】
【技術分野】
【０００１】
本発明は、電装品アセンブリ及びそれを備えた空気調和装置の室外ユニット、特に、略直方体箱状のケーシングの内部が鉛直に延びる仕切板により送風機室と機械室とに分割された構造を有する空気調和装置の室外ユニットにおいて、機械室に配置される電装品アセンブリ及びそれを備えた空気調和装置の室外ユニットに関する。
【背景技術】
【０００２】
従来の空気調和装置の室外ユニットとして、略直方体箱状のケーシングの内部が鉛直方向に延びる仕切板により送風機室と機械室とに分割された構造を有するものがある。この送風機室には、主として、室外熱交換器と室外ファンとが配置されている。また、機械室には、主として、圧縮機と、弁類や冷媒配管等から構成される冷媒回路構成部品と、電装品アセンブリとが配置されている。このような電装品アセンブリは、運転時の冷却が必要なインバータ制御素子（例えば、パワートランジスタ、ダイオード等）が機械室内の仕切板の近傍に配置されるとともに、現地作業時に操作する端子台が機械室内のケーシングの前面を向くように配置されるように構成されている（特許文献１参照）。
【特許文献１】特開平９−２３６２８４号公報
【発明の開示】
【発明が解決しようとする課題】
【０００３】
しかし、上述の電装品アセンブリでは、インバータ制御素子と端子台とを離して配置することになるため、電装品アセンブリ自体としてのサイズが大きくなってしまうことや、現地作業時に操作する端子台の強度を確保する必要性から、室外ユニットとしてのコンパクト化が困難になること、また、電装品アセンブリの大型化により、電装品アセンブリの輸送も効率的に行うことができないという問題がある。
【０００４】
本発明の課題は、略直方体箱状のケーシングの内部が鉛直に延びる仕切板により送風機室と機械室とに分割された構造を有する空気調和装置の室外ユニットにおいて、機械室に配置される電装品アセンブリのコンパクト化を実現しつつ、電装品アセンブリの輸送も効率的に行えるようにすることにある。
【課題を解決するための手段】
【０００５】
第１の発明にかかる電装品アセンブリは、略直方体箱状のケーシングの内部が鉛直に延びる仕切板により送風機室と機械室とに分割された構造を有する空気調和装置の室外ユニットにおいて、機械室に配置される電装品アセンブリであって、躯体と、端子台と、端子台サポート部材とを備えている。躯体は、運転制御素子が実装された制御基板とインバータ制御素子とを含む各種電気部品が装着されており、ケーシング内に設けられた状態において、制御基板の基板面がケーシングの前面に対して傾斜又は直交するように設けられる。端子台は、ケーシング内に設けられた状態において、ケーシングの前面を向くように配置される。端子台サポート部材は、躯体に設けられており、ケーシング内に設けられた状態の端子台を支持する第１状態と、第１状態よりも基板面に対する傾斜が緩い第２状態とに切換可能である。端子台サポート部材は、躯体がケーシング内に設けられた状態において端子台を支持する第１端子台支持部と、躯体がケーシング内に設けられた状態において躯体の上下方向に延びる軸まわりに回動可能に支持される躯体被支持部とを有している。端子台サポート部材は、躯体被支持部を回動させることによって、第１端子台支持部を基板面に対して接近又は離反させることが可能である。
【０００６】
この電装品アセンブリでは、躯体に制御基板及びインバータ制御素子を装着することで、制御基板とインバータ制御素子とが一体化されてコンパクトになるとともに、躯体の基板面がケーシングの前面に対して傾斜又は直交するように躯体を配置することで、インバータ制御素子の冷却が可能になっている。そして、端子台をケーシングの前面を向くように配置するとともに、躯体に設けられた端子台サポート部材によって支持することで、現地作業時における操作性の確保が得られるようになっている。しかも、この端子台サポート部材は、端子台を支持する第１状態と、第１状態よりも躯体の基板面に対する傾斜が緩い第２状態とに切換可能であるため、電装品アセンブリの輸送時の荷姿をコンパクトにすることができ、これにより、電装品アセンブリの輸送も効率的に行うことができるようになっている。しかも、この電装品アセンブリでは、端子台サポート部材が躯体の上下方向に延びる軸まわりに回動可能に支持されているため、第１状態と第２状態との切り換え操作を容易に行うことができる。
【０００７】
以上のように、本発明によれば、コンパクト化を実現しつつ、輸送も効率的に行うことができる。
【０００８】
第２の発明にかかる電装品アセンブリは、第１の発明にかかる電装品アセンブリにおいて、端子台サポート部材は、躯体がケーシング内に設けられた状態において、第２状態に切り換えると、ケーシングの平面視における躯体の外側にはみ出さないように配置される。
【０００９】
この電装品アセンブリでは、端子台サポート部材を第２状態に切り換えると、ケーシングの平面視における躯体の外側にはみ出さないように配置されるため、電装品アセンブリの輸送時の荷姿をさらにコンパクトにすることができる。
【００１０】
第３の発明にかかる電装品アセンブリは、第１又は第２の発明のいずれかにかかる電装品アセンブリにおいて、端子台は、ケーシング内に設けられた状態において、ケーシング又は仕切板に固定される。
【００１１】
この電装品アセンブリでは、躯体とは別に端子台がケーシング又は仕切板に固定されているため、端子台の強度を確保することができる。
【００１２】
第４の発明にかかる電装品アセンブリは、第１〜第３の発明のいずれかにかかる電装品アセンブリにおいて、躯体は、端子台を着脱自在に装着する第２端子台支持部を有している。
【００１３】
この電装品アセンブリでは、躯体に、端子台を着脱自在に装着する第２端子台支持部が設けられているため、電装品アセンブリの輸送時に端子台を躯体に装着しておくことができるとともに、電装品アセンブリをケーシング内に配置する際に躯体から端子台を脱着することができるようになる。これにより、電装品アセンブリの輸送及びケーシング内への電装品アセンブリの設置作業をさらに効率的に行うことができる。
【００１４】
第５の発明にかかる電装品アセンブリは、第４の発明にかかる電装品アセンブリにおいて、躯体には、端子台が第２端子台支持部に装着された状態において、端子台の少なくとも一部が収容される収容開口が形成されている。
【００１５】
この電装品アセンブリでは、端子台が第２端子台支持部に装着された状態において、端子台の少なくとも一部が収容される収容開口が形成されているため、端子台が躯体の外面から極力に突出しないようにすることができ、これにより、電装品アセンブリの輸送時の荷姿をさらにコンパクトにすることができる。
【００１６】
第６の発明にかかる電装品アセンブリは、第１又は第２の発明にかかる電装品アセンブリにおいて、端子台は、躯体がケーシング内に設けられた状態において、第１端子台支持部によって端子台サポート部材の上下方向に延びる軸まわりに回動可能に支持されている。
【００１７】
この電装品アセンブリでは、端子台が端子台サポート部材の上下方向に延びる軸まわりに回動可能に支持されているため、第１状態と第２状態との切り換え操作を容易に行うことができる。
【００１８】
第７の発明にかかる電装品アセンブリは、第６の発明にかかる電装品アセンブリにおいて、躯体は、端子台及び端子台サポート部材を第１状態に位置決めする第１位置決め部を有している。
【００１９】
この電装品アセンブリでは、躯体に、端子台及び端子台サポート部材を第１状態に位置決めする第１位置決め部が設けられているため、電装品アセンブリがケーシング内に配置された状態において、端子台がケーシングの前面を向くように配置された状態を保持することができる。
【００２０】
第８の発明にかかる電装品アセンブリは、第６又は第７の発明にかかる電装品アセンブリにおいて、端子台は、端子台サポート部材を第２状態に切り換えると、ケーシングの平面視における躯体の外面に沿って配置される。
【００２１】
この電装品アセンブリでは、端子台サポート部材を第２状態に切り換えると、端子台がケーシングの平面視における躯体の外面に沿って配置されるため、端子台が躯体の外面から極力に突出しないようにすることができ、これにより、電装品アセンブリの輸送時の荷姿をさらにコンパクトにすることができる。
【００２２】
第９の発明にかかる電装品アセンブリは、第８の発明にかかる電装品アセンブリにおいて、躯体は、端子台及び端子台サポート部材を第２状態に位置決めする第２位置決め部を有している。
【００２３】
この電装品アセンブリでは、躯体に、端子台及び端子台サポート部材を第２状態に位置決めする第２位置決め部が設けられているため、電装品アセンブリの輸送時において、端子台がケーシングの平面視における躯体の外面に沿って配置された状態を保持することができる。
【００２４】
第１０の発明にかかる空気調和装置の室外ユニットは、略直方体箱状のケーシングと、ケーシングの内部を送風機室と機械室とに分割するように鉛直に延びる仕切板と、機械室に配置される第１〜第９の発明のいずれかにかかる電装品アセンブリとを備えている。
【００２５】
この空気調和装置の室外ユニットでは、第１〜第１０の発明のいずれかにかかる電装品アセンブリを備えているため、ユニット全体のコンパクト化を実現することができる。
【発明の効果】
【００２６】
以上の説明に述べたように、本発明によれば、以下の効果が得られる。
【００２７】
第１の発明では、コンパクト化を実現しつつ、輸送も効率的に行うことができる。また、第１状態と第２状態との切り換え操作を容易に行うことができる。
【００２８】
第２の発明では、電装品アセンブリの輸送時の荷姿をさらにコンパクトにすることができる。
【００２９】
第３の発明では、端子台の強度を確保することができる。
【００３０】
第４の発明では、電装品アセンブリの輸送及びケーシング内への電装品アセンブリの設置作業をさらに効率的に行うことができる。
【００３１】
第５の発明では、電装品アセンブリの輸送時の荷姿をさらにコンパクトにすることができる。
【００３２】
第６の発明では、第１状態と第２状態との切り換え操作を容易に行うことができる。
【００３３】
第７の発明では、電装品アセンブリがケーシング内に配置された状態において、端子台がケーシングの前面を向くように配置された状態を保持することができる。
【００３４】
第８の発明では、電装品アセンブリの輸送時の荷姿をさらにコンパクトにすることができる。
【００３５】
第９の発明では、電装品アセンブリの輸送時において、端子台がケーシングの平面視における躯体の外面に沿って配置された状態を保持することができる。
【００３６】
第１０の発明では、ユニット全体のコンパクト化を実現できる。
【発明を実施するための最良の形態】
【００３７】
以下、図面に基づいて、本発明にかかる電装品アセンブリ及びそれを備えた空気調和装置の室外ユニットの実施形態について説明する。
【００３８】
（１）室外ユニットの全体構成
図１は、本発明にかかる電装品アセンブリの一実施形態が採用された室外ユニット１の平面図（天板２２と圧縮機５１、室外熱交換器５２及び閉鎖弁６１、６２以外の冷媒回路構成部品５とを取り除いて図示）である。また、図２は、室外ユニット１の正面図（左右前板２３、２４と圧縮機５１、室外熱交換器５２及び閉鎖弁６１、６２以外の冷媒回路構成部品５とを取り除いて図示）である。
【００３９】
この室外ユニット１は、室外に設置されており、略直方体箱状のユニットケーシング２の内部が鉛直に延びる仕切板２８により送風機室Ｓ１と機械室Ｓ２とに分割されたトランク型の構造と呼ばれるものである。この室外ユニット１は、空調室内に配置される室内ユニット（図示せず）に冷媒配管（図示せず）を介して接続されている。室外ユニット１は、主として、略直方体箱状のユニットケーシング２と、室外ファン４と、圧縮機５１や室外熱交換器５２等の機器、液側閉鎖弁６１やガス側閉鎖弁６２等の弁及び配管等の部材を含み冷媒回路を構成する冷媒回路構成部品５と、室外ユニット１の運転制御を行う電装品アセンブリ７とを備えている。尚、以下の説明において、「上」、「下」、「左」、「右」、「前」、「後」、「正面」、「背面」は、特にことわりのない限り、図２に示される室外ユニット１を正面側から見た場合の方向を意味している。
【００４０】
（２）ユニットケーシングの構成
ユニットケーシング２は、主として、底板２１と、天板２２と、左前板２３と、右前板２４と、右側板２５とを備えている。
【００４１】
底板２１は、ユニットケーシング２の底面部分を構成する横長の略長方形状の金属製の板状部材である。底板２１の周縁部は、上向きに折り曲げられている。底板２１の外面には、現地設置面に固定される２つの固定脚２６が設けられている。固定脚２６は、ユニットケーシング２の正面視において略Ｕ字形状を有し、ユニットケーシング２の前側から後側に向かって延びる金属製の板状部材である。
【００４２】
天板２２は、室外ユニット１の天面部分を構成する横長の略長方形状の金属製の板状部材である。
【００４３】
左前板２３は、主として、ユニットケーシング２の左前面部分及び左側面部分を構成する金属製の板状部材であり、その下部が底板２１にネジ等により固定されている。左前板２３には、室外ファン４によってユニットケーシング２内に吸入される空気の吸入口２３ａが形成されている。また、左前板２３には、室外ファン４によってユニットケーシング２の背面側及び左側面側から内部に取り込まれた空気を外部に吹き出すための吹出口２３ｂが設けられている。吹出口２３ｂは、上下２つ形成されており、それぞれにファングリル２７が設けられている。
【００４４】
右前板２４は、主として、ユニットケーシング２の右前面部分及び右側面の前部を構成する金属製の板状部材であり、その下部が底板２１にネジ等により固定されている。また、右前板２４は、その左端部が左前板２３の右端部にネジ等により固定されている。
【００４５】
右側板２５は、主として、ユニットケーシング２の右側面の後部及び右背面部分を構成する金属製の板状部材であり、その下部が底板２１にネジ等により固定されている。そして、左前板２３の後端部と右側板２５の背面側端部と左右方向間には、室外ファン４によってユニットケーシング２内に吸入される空気の吸入口２３ｃが形成されている。
【００４６】
このようなユニットケーシング２内には、仕切板２８と管板２９とが設けられている。仕切板２８は、底板２１上に配置される鉛直に延びる金属製の板状部材であり、ユニットケーシング２の内部を左右２つの空間に仕切るように配置されている。仕切板２８は、本実施形態において、ユニットケーシング２の平面視において、送風機室Ｓ１側に突出するように屈曲した形状を有している。管板２９は、ユニットケーシング２の左側面から背面に沿うように配置された略Ｌ字形状の室外熱交換器５２の右端面に対向するように設けられた金属製の板状部材であり、その下部が底板２１にネジ等により固定されている。そして、管板２９のユニットケーシング前面側の端部と仕切板２８のユニットケーシング背面側の端部とは、互いにネジ等により固定されている。また、左前板２３の右端部は、仕切板２８の前端部にネジ等により固定されている。右側板２５の背面側の端部は、管板２９のユニットケーシング背面側の端部にネジ等により固定されている。
【００４７】
このように、ユニットケーシング２は、その内部が仕切板２８により送風機室Ｓ１と機械室Ｓ２とに分割されている。より具体的には、送風機室Ｓ１は、底板２１と、天板２２と、左前板２３と、仕切板２８とによって囲まれた空間であり、主として、室外ファン４や室外熱交換器５２が配置されている。機械室Ｓ２は、底板２１と、天板２２と、右前板２４と、右側板２５と、仕切板２８とによって囲まれた空間であり、主として、室外熱交換器５２以外の冷媒回路構成部品５と、電装品アセンブリ７とが配置されている。そして、ユニットケーシング２では、右前板２４を取り外すことによって、機械室Ｓ２の内部が見えるようになっている。すなわち、右前板２４は、室外ユニット１の機械室Ｓ２内に収容された冷媒回路構成部品５や電装品アセンブリ７のメンテナンス等の現地作業を行う際に取り外されることになる。
【００４８】
（３）室外ファンの構成
室外ファン４は、複数の翼を有するプロペラファンであり、送風機室Ｓ１内の室外熱交換器５２の前側に配置されている。本実施形態において、室外ファン４は、吹出口２３ｂに対向するように、送風機室Ｓ１内に上下２つ配置されている。これらの室外ファン４は、それぞれ、室外ファン用電動機４ａによって回転駆動されるように構成されている。室外ファン４を駆動すると、ユニットケーシング２の背面及び左側面の吸入口２３ａ、２３ｃを通じて、内部に空気が取り込まれて、室外熱交換器５２を通過した後、ユニットケーシング２の前面の吹出口２３ｂからユニットケーシング２の外部へ空気が吹き出されるようになっている。
【００４９】
（４）冷媒回路構成部品の構成
圧縮機５１は、圧縮機用電動機をハウジング内に内蔵する密閉型圧縮機であり、機械室Ｓ２内に配置されている。ここで、圧縮機用電動機は、電装品アセンブリ７によって周波数制御が可能な、いわゆるインバータタイプの電動機である。圧縮機５１は、本実施形態において、ユニットケーシング２の全高の１／３〜１／２程度の高さの縦型円筒形状を有し、その下部が底板２１に固定されている。また、圧縮機５１は、ユニットケーシング２の平面視において、機械室Ｓ２の前後方向中央付近に、かつ、機械室Ｓ２の仕切板２８付近に配置されている。
【００５０】
室外熱交換器５２は、送風機室Ｓ１内に配置されており、室外ファン４によってユニットケーシング２内に取り込まれた空気との間で熱交換を行う。室外熱交換器５２は、ユニットケーシング２の平面視において略Ｌ字形状を有し、ユニットケーシング２の左側面から背面に沿うように配置されている。
【００５１】
ユニットケーシング２内には、室内ユニット側の冷媒配管が接続される液側閉鎖弁６１及びガス側閉鎖弁６２が配置されている。より具体的には、液側閉鎖弁６１及びガス側閉鎖弁６２は、機械室Ｓ２の前部の右前板２４に対向する位置に配置されている。本実施形態において、液側閉鎖弁６１及びガス側閉鎖弁６２は、左前板２３の右端部と右側板２５の前端部との間に掛け渡されるように設けられた細長い板状の閉鎖弁サポート部材３０に支持されている。閉鎖弁サポート部材３０は、機械室Ｓ２内において、圧縮機５１の上端付近の高さ位置に配置されている。
【００５２】
（５）電装品アセンブリの構成
電装品アセンブリ７は、運転制御を行うための運転制御素子が実装された制御基板９１やインバータ制御素子９２等の各種電気部品を有しており、本実施形態において、機械室Ｓ２内の上部の仕切板２８付近に配置されている。電装品アセンブリ７は、主として、躯体７１と、端子台８６と、端子台サポート部材８７とを有している。
【００５３】
次に、電装品アセンブリ７の構成について、図３〜図６を用いて、詳細に説明する。ここで、図３は、機械室Ｓ２内に設けられた状態の電装品アセンブリ７を下から見た図である。図４は、機械室Ｓ２内に設けられた状態の電装品アセンブリ７を図１のＡ方向から見た図である。図５は、機械室Ｓ２内に設けられた状態の電装品アセンブリ７を図１のＢ方向から見た図である。図６は、図５から仕切板２８を取り除いた状態の電装品アセンブリ７を示す図である。
【００５４】
躯体７１は、運転制御素子が実装された制御基板９１とインバータ制御素子９２とを含む各種電気部品が装着される樹脂製の略直方体箱状の部材であり、主として、制御基板９１及びインバータ制御素子９２を含む各種電気部品が装着される基板取付プレート７２と、制御基板９１を覆う基板保護プレート７６とを有している。
【００５５】
基板取付プレート７２は、電装品アセンブリ７が機械室Ｓ２内に設けられた状態において、送風機室Ｓ１側に配置される部材であり、主として、ユニットケーシング２の前面（すなわち、左右前板２３、２４の前面部分）に対して傾斜しかつ鉛直に延びる第１プレート部としての取付プレート部７３と、取付プレート部７３の外周縁から反送風機室Ｓ１側に向かって延びる取付フレーム部７４とを有している。矢印Ａ又は矢印Ｂ方向から見た取付プレート部７３の略中央には、取付プレート開口７３ａが形成されている。そして、取付プレート部７３の反送風機室Ｓ１側の面には、取付プレート開口７３ａに対向する位置に、インバータ制御素子９２が装着されている。インバータ制御素子９２は、例えば、パワートランジスタやダイオード等の運転時に高温発熱する電気部品である。また、取付プレート部７３の反送風機室Ｓ１側の面には、運転制御素子が実装された制御基板９１が取付プレート部７３の面に平行な状態で、複数のネジ９３を用いて装着されている。すなわち、制御基板９１の基板面は、取付プレート部７３と同様に、ユニットケーシング２の前面に対して傾斜しかつ鉛直に延びていることになる。そして、制御基板９１は、本実施形態において、取付プレート部７３の反送風機室Ｓ１側の面との間にインバータ制御素子９２を挟むように配置されており、インバータ制御素子９２と一体となっている。また、取付プレート部７３の送風機室Ｓ１側の面には、取付プレート開口７３ａを覆うように、ヒートシンク９４が装着されている。ヒートシンク９４は、主として、取付プレート部７３の送風機室Ｓ１側の面に装着されるフランジ部９４ａと、フランジ部９４ａの送風機室Ｓ１側の面から送風機室Ｓ１内に向かって突出する水平な複数の冷却フィン９４ｂとを有している。フランジ部９４ａは、略矩形状のプレート部分である。そして、取付プレート部７３の送風機室Ｓ１側の面には、フランジ部９４ａの外周縁を囲むように、送風機室Ｓ１側に突出する環状突出部７３ｃが形成されている。
【００５６】
基板保護プレート７６は、電装品アセンブリ７が機械室Ｓ２内に設けられた状態において、基板取付プレート７２の反送風機室Ｓ１側に配置される部材であり、主として、ユニットケーシング２の前面（すなわち、左右前板２３、２４の前面部分）に対して傾斜しかつ鉛直に延びる保護プレート部７７と、保護プレート部７７の外周縁から送風機室Ｓ１側に向かって延びる保護フレーム部７８とを有している。保護プレート部７７は、主として、電装品アセンブリ７が機械室Ｓ２内に設けられた状態において、ユニットケーシング２の前面寄りの前側保護プレート部７７ａと、前側保護プレート部７７ａよりもユニットケーシング２の前面から遠い側の後側保護プレート部７７ｂとを有している。後側保護プレート部７７ｂは、矢印Ａ方向から見た保護プレート部７７の左右方向略中央に形成された段差を介して前側保護プレート部７７ａに対して矢印Ｂ方向に突出した状態で一体となっている。前側保護プレート部７７ａ及び後側保護プレート部７７ｂは、取付プレート部７３の面に平行に配置されている。保護フレーム部７８は、取付フレーム部７４と矢印Ａ又は矢印Ｂ方向に直交する方向から見た際に、互いの矢印Ａ又は矢印Ｂ方向の端部が重なるように配置されている。そして、基板保護プレート７６は、保護フレーム部７８又は取付フレーム部７４に形成された係合爪やネジ等を用いて基板取付プレート７２に装着されている。また、前側保護プレート部７７ａの外面（すなわち、基板保護プレート７６を矢印Ａ方向から見た面）には、制御基板９１とは別に、運転制御素子のうちで視認性及びサービス性を必要とする高アクセス頻度制御素子（例えば、ＬＥＤ等からなる表示素子９８ａやスイッチやコネクタ等からなる操作素子９８ｂ）が実装された第１補助基板９８が装着されている。ここで、第１補助基板９８は、前側保護プレート部７７ａの外面に形成された複数（ここでは、４つ）の係止爪７７ｃを含む第１補助基板装着部７９において固定されている。さらに、電装品アセンブリ７が機械室Ｓ２内に設けられた状態において、前側保護プレート部７７ａの第１補助基板装着部７９の下側、後側保護プレート部７７ｂの上部及び後側保護プレート部７７ｂの下部には、それぞれ、付加機能（例えば、通信機能やデマンド制御機能等）を追加する際に必要な付加機能用制御素子が実装された第２補助基板９９ａ、９９ｂ及び９９ｃを装着することができるようになっている。ここで、第２補助基板９９ａは、前側保護プレート部７７ａの外面に形成された複数（ここでは、４つ）の係止爪７７ｄを含む第２補助基板装着部８０ａにおいて固定できるようになっている。第２補助基板９９ｂは、後側保護プレート部７７ｂの外面に形成された複数（ここでは、３つ）のネジ孔７７ｅを含む第２補助基板装着部８０ｂにおいて固定できるようになっている。第２補助基板９９ｃは、後側保護プレート部７７ｂの外面に形成された複数（ここでは、３つ）の係止爪７７ｆを含む第２補助基板装着部８０ｃにおいて固定できるようになっている。尚、躯体７１（すなわち、基板保護プレート７６）を矢印Ａ方向から見た際においても、ユニットケーシング２の側面（すなわち、右前板２４の側面部分及び右側板２５の側面部分）によって隠れてしまうことなく、高アクセス頻度制御素子９８ａ、９８ｂのすべて（すなわち、第１補助基板９８全体）を視認することができるように、ユニットケーシング２の前面に対して傾斜している。より具体的には、躯対７１は、躯体７１（すなわち、基板保護プレート７６）を矢印Ａ方向から見た際において、ユニットケーシング２の側面の前端が板保護プレート７６の上下方向に延びる段差とほぼ重なるように、ユニットケーシング２の前面に対して傾斜している。
【００５７】
また、電装品アセンブリ７が機械室Ｓ２内に設けられた状態において、躯体７１の上面にはリアクトル９６が金属製のリアクトル取付プレート８５を介して装着されており、躯体７１の下面にはノイズフィルタ９７が装着されている。
【００５８】
そして、上述のような各種電気部品やヒートシンク９４が装着された躯体７１には、取付プレート部７３の送風機室Ｓ１側の面を覆うように躯体支持プレート８１が固定されている。躯体支持プレート８１は、金属製の部材であり、主として、電装品アセンブリ７が機械室Ｓ２内に設けられた状態において、取付プレート部７３の送風機室Ｓ１側の面に接する第２プレート部としての支持プレート部８２と、支持プレート部８２の両側縁から仕切板２８の屈曲面に沿って延びる前側延出部８３及び後側延出部８４とを有している。ここで、支持プレート部８２は、取付プレート部７３の下部を除くほぼ全面を覆っており、取付プレート部７３に形成された環状突出部７３ｃの外周側を囲むように第２開口としての支持プレート開口８２ａが形成されている。これにより、躯体７１に装着されたヒートシンク９４の複数の冷却フィン９４ｂは、躯体７１が躯体支持プレート８１に固定された状態において、支持プレート開口８２ａを貫通して支持プレート部８２の送風機室Ｓ１側に突出している。また、支持プレート部８２には、その下端が送風機室Ｓ１側に向かって延びた後に下方に延びる舌部８２ｂが折り曲げ等により形成されている。そして、躯体支持プレート８１は、躯体７１が固定された状態において、例えば、前側延出部８３、後側延出部８４又は支持プレート部８２に形成された係合爪やネジ等を用いて仕切板２８に固定されている。ここで、仕切板２８には、送風機室Ｓ１と機械室Ｓ２とを連通するように第１開口としての略矩形状の仕切板開口２８ａが形成されている。仕切板開口２８ａは、支持プレート開口８２ａに対向しかつ矢印Ｂ方向から見た際に支持プレート開口８２ａ及び支持プレート部８２の下端を囲むように形成されている。これにより、ヒートシンク９４の複数の冷却フィン９４ｂ及び躯体支持プレート８１の舌部８２ｂは、躯体支持プレート８１を介して躯体７１が仕切板２８に固定された状態において、送風機室Ｓ１内に突出しており、インバータ制御素子９２の運転時の冷却を行うことができるようになっている。また、躯体７１は、機械室Ｓ２内に設けられた状態において、制御基板９１の基板面が仕切板２８に沿うようにかつユニットケーシング２の前面に対して傾斜するように設けられている。しかも、躯体７１の角部は、機械室Ｓ２内に設けられた状態の電装品アセンブリ７を上から見た際に、躯体支持プレート８１を介して、仕切板２８の屈曲面に沿うように接している。
【００５９】
端子台８６は、主として、電源接続用の複数の端子部を有する端子台本体８６ａと、端子台本体８６ａの背面が固定される端子台固定プレート８６ｂとを有している。電装品アセンブリ７が機械室Ｓ２内に設けられた状態において、端子台８６は、端子台本体８６ａの端子部がユニットケーシング２の前面を向くように配置されており、端子台固定プレート８６ｂの仕切板２８側の一端が仕切板２８に固定されている。尚、端子台固定プレート８６ｂの一端が左前板２３の前部に固定されてもよい。
【００６０】
端子台サポート部材８７は、電装品アセンブリ７が機械室Ｓ２内に設けられた状態において端子台８６を支持する第１端子台支持部８７ａと、電装品アセンブリ７が機械室Ｓ２内に設けられた状態において躯体７１の上下方向に延びる軸である係合軸７１ａまわり（軸中心をＯとする）に回動可能に支持される躯体被支持部８７ｂとを有する棒状の部材である。端子台サポート部材８７は、躯体被支持部８７ｂを回動させることによって、第１端子台支持部８７ａを制御基板９１の基板面に対して接近又は離反させることが可能である。そして、端子台固定プレート８６ｂの他端は、端子台サポート部材８７を角度αだけ傾斜させた第１状態にして第１端子台支持部８７ａに装着されることにより支持されている。
【００６１】
このように、本実施形態の電装品アセンブリ７では、躯体７１とは別に端子台８６をユニットケーシング２の前面を向くように仕切板２８に固定するとともに、躯体７１に設けられた端子台サポート部材８７によって支持されている。
【００６２】
本実施形態の電装品アセンブリ７では、端子台８６及び端子台サポート部材８７を躯体７１に収納することができるようになっている。このような端子台８６及び端子台サポート部材８７の収納構造について、図１、図３、図４、図７及び図８を用いて説明する。ここで、図７は、端子台８６及び端子台サポート部材８７が躯体７１に収納された状態の電装品アセンブリを下から見た図である。図８は、端子台８６及び端子台サポート部材８７が躯体７１に収納された状態の電装品アセンブリを図１のＡ方向から見た図である。
【００６３】
上述のように、端子台サポート部材８７の躯体被支持部８７ｂを回動させることで端子台サポート部材８７を角度αだけ傾斜させた状態（以下、第１状態とする）においては、端子台８６がユニットケーシング２の前面を向くように配置されるが、その分だけ、ユニットケーシング２の平面視における躯体７１の外側に（具体的には、基板保護プレート７６の外面から）、端子台８６及び端子台サポート部材８７がはみ出すことになる。このため、このままでは、電装品アセンブリ７を単体で輸送する場合の荷姿が大きくなってしまい、電装品アセンブリ７の輸送を効率的に行うことができない。
【００６４】
そこで、本実施形態の電装品アセンブリ７では、端子台サポート部材８７の躯体被支持部８７ｂを回動させることにより、躯体７１の基板面に対する端子台サポート部材８７の傾斜が第１状態よりも緩い（ここでは、躯体７１の基板面と平行な）第２状態に切り換え可能になっている。しかも、端子台サポート部材８７を第２状態にすると、ユニットケーシング２の平面視における躯体７１の外側に（具体的には、基板保護プレート７６の外側から）はみ出さないように配置されるようになっている。
【００６５】
また、端子台サポート部材８７を第２状態に切り換える際には、第１端子台支持部８７ａから端子台８６を取り外すが、ここで、端子台サポート部材８７の第１端子台支持部８７ａには端子台係合爪８７ｃが形成されており、この端子台係合爪８７ｃが端子台８６の端子台固定プレート８６ｂの他端に形成された係合孔８６ｃに嵌め込まれた装着構造であるため、端子台係合爪８７ｃを弾性変形させることによって、第１端子台支持部８７ａから端子台８６を容易に取り外すことができるようになっている。逆に、第１端子台支持部８７ａに端子台８６を装着する場合には、端子台係合爪８７ｃを弾性変形させることで係合孔８６ｃに容易に嵌め込むことができるようになっている。
【００６６】
さらに、端子台サポート部材８７から端子台８６を取り外して端子台サポート部材８７を第２状態に切り換えた後には、端子台８６を躯体７１に着脱自在に装着することができるようになっている。具体的には、躯体７１を構成する基板保護プレート７６の保護プレート部７７（ここでは、後側保護プレート部７７ｂ）の外面に形成された複数（ここでは
、２つ）の係止爪７７ｇを含む第２端子台支持部８９に装着することができるようになっている。このとき、端子台８６は、端子台本体８６ａが、電装品アセンブリ７が機械室Ｓ２内に設けられた状態における送風機室Ｓ１側を向くように、すなわち、端子台固定プレート８６ｂが保護プレート部７７に沿うように装着される。しかも、躯体７１（具体的には、保護プレート部７７の前側保護プレート部７７ａ）には、端子台８６が第２端子台支持部８９に装着された状態における端子台本体８６ａに対向する位置に、収容開口としての保護プレート開口７７ｈが形成されているため、端子台８６が第２端子台支持部８９に装着された状態において、端子台８６（具体的には、端子台本体８６ａ）の少なくとも一部が躯体７１内に収容されるようになっている。
【００６７】
（６）本実施形態の電装品アセンブリ及びそれを備えた室外ユニットの特徴
本実施形態の電装品アセンブリ７及びそれを備えた室外ユニット１には、以下のような特徴がある。
【００６８】
（Ａ）
本実施形態の電装品アセンブリ７及びそれを備えた室外ユニット１では、躯体７１に制御基板９１及びインバータ制御素子９２を装着することで、制御基板９１とインバータ制御素子９２とが一体化されてコンパクトになるとともに、躯体７１の基板面がユニットケーシング２の前面に対して傾斜又は直交するように躯体７１を配置することで、インバータ制御素子９２の冷却が可能になっている。そして、このような躯体７１とは別に端子台８６をユニットケーシング２の前面を向くようにユニットケーシング２又は仕切板２８に固定するとともに、躯体７１に設けられた端子台サポート部材８７によって支持することで、現地作業時における操作性の確保と端子台８６の強度の確保とが得られるようになっている。しかも、この端子台サポート部材８７は、端子台８６を支持する第１状態と、第１状態よりも躯体７１の基板面に対する傾斜が緩い第２状態とに切換可能であるため、電装品アセンブリ７の輸送時の荷姿をコンパクトにすることができ、これにより、電装品アセンブリ７の輸送も効率的に行うことができるようになっている。
【００６９】
以上のように、本発明によれば、コンパクト化及び端子台の強度確保を実現しつつ、輸送も効率的に行うことができる。また、室外ユニット１全体のコンパクト化も実現することができる。
【００７０】
（Ｂ）
本実施形態の電装品アセンブリ７では、端子台サポート部材８７を第２状態に切り換えると、ユニットケーシング２の平面視における躯体７１の外側にはみ出さないように配置されるため、電装品アセンブリ７の輸送時の荷姿をさらにコンパクトにすることができる。
【００７１】
（Ｃ）
本実施形態の電装品アセンブリ７では、端子台サポート部材８７が躯体７１の上下方向に延びる軸（具体的には、係合軸７１ａ）まわりに回動可能に支持されているため、第１状態と第２状態との切り換え操作を容易に行うことができる。
【００７２】
（Ｄ）
本実施形態の電装品アセンブリ７では、躯体７１に、端子台８６を着脱自在に装着する第２端子台支持部８９（具体的には、後側保護プレート部７７ｂの外面に形成された係止爪７７ｇ）が設けられているため、電装品アセンブリ７の輸送時に端子台８６を躯体７１に装着しておくことができるとともに、電装品アセンブリ７をユニットケーシング２内に配置する際に躯体７１から端子台８６を脱着することができるようになる。これにより、電装品アセンブリ７の輸送及びユニットケーシング２内への電装品アセンブリ７の設置作業をさらに効率的に行うことができる。
【００７３】
（Ｅ）
本実施形態の電装品アセンブリ７では、端子台８６が第２端子台支持部８９に装着された状態において、端子台８６の少なくとも一部が収容される保護プレート開口７７ｈが形成されているため、端子台８６が躯体７１の外面から極力に突出しないようにすることができ、これにより、電装品アセンブリ７の輸送時の荷姿をさらにコンパクトにすることができる。
【００７４】
（７）変形例
上述の実施形態の電装品アセンブリ７では、端子台８６がユニットケーシング２又は仕切板２８にユニットケーシング２の前面を向くように固定されるとともに、躯体７１に設けられた端子台サポート部材８７によって支持された構造であったが、図９及び図１０に示される本変形例の電装品アセンブリ１０７のように、端子台１８６が躯体１７１に設けられた端子台サポート部材１８７によって支持された構造であってもよい。以下に、本変形例の電装品アセンブリ１０７について説明する。尚、電装品アセンブリ１０７のうち端子台１８６、端子台サポート部材１８７及び躯体１７１の一部（具体的には、位置決め部１８８、１８９）を除く各部は、上述の実施形態の電装品アセンブリ７の各部と同様であるため、ここでは説明を省略する。
【００７５】
端子台１８６は、上述の実施形態の電装品アセンブリ７の端子台８６と同様、主として、電源接続用の複数の端子部を有する端子台本体１８６ａと、端子台本体１８６ａの背面が固定される端子台固定プレート１８６ｂとを有している。電装品アセンブリ１０７が機械室Ｓ２内に設けられた状態において、端子台１８６は、上述の実施形態の電装品アセンブリ７の端子台１８６と同様、端子台本体１８６ａの端子部がユニットケーシング２の前面を向くように配置されている。但し、本変形例の端子台１８６は、上述の実施形態の電装品アセンブリ７の端子台とは異なり、端子台固定プレート１８６ｂの仕切板２８側の一端が仕切板２８や左前板２３の前部に固定されていない。
【００７６】
次に、端子台サポート部材１８７は、上述の実施形態の電装品アセンブリ７の端子台サポート部材８７と同様、電装品アセンブリ１０７が機械室Ｓ２内に設けられた状態において端子台１８６を支持する第１端子台支持部１８７ａと、電装品アセンブリ１０７が機械室Ｓ２内に設けられた状態において躯体１７１の上下方向に延びる軸である係合軸１７１ａまわり（軸中心をＯとする）に回動可能に支持される躯体被支持部１８７ｂとを有する棒状の部材である。端子台サポート部材１８７は、躯体被支持部１８７ｂを回動させることによって、第１端子台支持部１８７ａを制御基板９１の基板面に対して接近又は離反させることが可能である。また、第１端子台支持部１８７ａには、電装品アセンブリ１０７が機械室Ｓ２内に設けられた状態において躯体１７１の上下方向に延びる軸である係合軸１８７ｃまわり（軸中心をＰとする）が形成されており、この係合軸１８７ｃに端子台固定プレート１８６ｂの背面に形成された端子台被支持部１８６ｃが回動可能に支持されている。そして、端子台１８６は、端子台サポート部材１８７が制御基板９１の基板面に対して角度βだけ傾斜した状態にされ、さらに、端子台固定プレート１８６ｂが端子台サポート部材１８７に対して角度γだけ傾斜した状態にされることで、ユニットケーシング２の前面を向くように配置されている（以下、この状態を第１状態とする）。しかも、端子台固定プレート１８６ｂの一端（ここでは、仕切板２８側の端部）は、上述の第１状態を保持したままで、躯体１７１に支持されている。より具体的には、端子台固定プレート１８６ｂの一端に形成された爪部１８６ｄが躯体１７１に形成された第１位置決め部としての切り欠き部１７１ｂに係合している。すなわち、切り欠き部１７１ｂは、端子台１８６及び端子台サポート部材１８７を第１状態に位置決めする機能を有している。
【００７７】
このように、本変形例の電装品アセンブリ１０７では、躯体１７１に設けられた端子台サポート部材１８７を介して、躯体１７１と一体の端子台８６がユニットケーシング２の前面を向くように配置されており、端子台サポート部材１８７及び躯体１７１に形成された切り欠き部１７１ｂによって支持されている。
【００７８】
本変形例の電装品アセンブリ１０７では、上述の実施形態の電装品アセンブリ７と同様、端子台１８６及び端子台サポート部材１８７を躯体１７１に収納することができるようになっている。このような端子台１８６及び端子台サポート部材１８７の収納構造について説明する。
【００７９】
上述のように、端子台サポート部材１８７の躯体被支持部１８７ｂ及び端子台固定プレート１８６ｂの端子台被支持部１８６ｃを回動させることで第１状態にすると、端子台８６がユニットケーシング２の前面を向くように配置されるが、その分だけ、ユニットケーシング２の平面視における躯体１７１の外側に（具体的には、基板保護プレート７６の外面から）、端子台１８６及び端子台サポート部材１８７がはみ出すことになる。このため、このままでは、電装品アセンブリ１０７を単体で輸送する場合の荷姿が大きくなってしまい、電装品アセンブリ１０７の輸送を効率的に行うことができない。
【００８０】
そこで、本実施形態の電装品アセンブリ１０７では、端子台サポート部材１８７の躯体被支持部１８７ｂを回動させることにより、躯体１７１の基板面に対する端子台サポート部材１８７の傾斜が第１状態における角度βよりも緩い（ここでは、躯体１７１の基板面に対して角度δだけ傾斜した）状態とし、かつ、端子台固定プレート１８６ｂの端子台被支持部１８６ｃを回動させることにより、躯体１７１の基板面に対する端子台サポート部材１８７の傾斜が第１状態における角度γよりも緩い（ここでは、端子台サポート部材に対して角度εだけ傾斜した）状態とした状態である第２状態に切り換え可能になっている。しかも、端子台固定プレート１８６ｂの他端（ここでは、反仕切板２８側の端部）は、上述の第２状態を保持したままで、躯体１７１に支持されている。より具体的には、端子台固定プレート１８６ｂの他端が躯体１７１に形成された第２位置決め部としての爪部１７１ｃに係合している。この爪部１７１ｃは、例えば、上述の実施形態の電装品アセンブリ７の躯体７１に形成された係止爪７７ｇのように、端子台固定プレート１８６ｂの他端を躯体１７１の保護プレート部７７に沿うように装着することができる部分である。すなわち、爪部１７１ｃは、端子台１８６及び端子台サポート部材１８７を第２状態に位置決めする機能を有している。そして、端子台サポート部材１８７及び端子台固定プレート１８６ｂを第２状態に切り換えると、端子台１８６がユニットケーシング２の平面視における躯体１７１の外面に沿って配置されるため、端子台１８６が躯体１７１の外面から極力に突出しないようにすることができ、これにより、電装品アセンブリ１０７の輸送時の荷姿をさらにコンパクトにすることができる。
【００８１】
このように、本変形例の電装品アセンブリ１０７では、端子台１８６を取り外すことなく、端子台サポート部材１８７及び端子台固定プレート１８６ｂを第２状態に切り換えるだけで、躯体１７１に収容することができるようになっている。
【００８２】
（８）他の実施形態
以上、本発明の実施形態について図面に基づいて説明したが、具体的な構成は、これらの実施形態に限られるものではなく、発明の要旨を逸脱しない範囲で変更可能である。
【００８３】
例えば、上述の実施形態においては、制御基板９１の基板面がユニットケーシング２の前面に対して傾斜するように躯体７１が配置されているが、制御基板９１の基板面がユニットケーシング２の前面に対して傾斜するように躯体７１が直交するように配置されていてもよい。
【産業上の利用可能性】
【００８４】
本発明を利用すれば、略直方体箱状のケーシングの内部が鉛直に延びる仕切板により送風機室と機械室とに分割された構造を有する空気調和装置の室外ユニットにおいて、機械室に配置される電装品アセンブリのコンパクト化を実現しつつ、電装品アセンブリの輸送も効率的に行うことができる。
【図面の簡単な説明】
【００８５】
【図１】本発明にかかる電装品アセンブリの一実施形態が採用された室外ユニットの平面図（天板と圧縮機、室外熱交換器及び閉鎖弁以外の冷媒回路構成部品とを取り除いて図示）である。
【図２】室外ユニットの正面図（左右前板と圧縮機、室外熱交換器及び閉鎖弁以外の冷媒回路構成部品とを取り除いて図示）である。
【図３】機械室内に設けられた状態の電装品アセンブリを下から見た図である。
【図４】機械室内に設けられた状態の電装品アセンブリを図１のＡ方向から見た図である。
【図５】機械室内に設けられた状態の電装品アセンブリを図１のＢ方向から見た図である。
【図６】図５から仕切板を取り除いた状態を示す図である。
【図７】端子台及び端子台サポート部材が躯体に収納された状態の電装品アセンブリを下から見た図である。
【図８】端子台及び端子台サポート部材が躯体に収納された状態の電装品アセンブリを図１のＡ方向から見た図である。
【図９】変形例にかかる電装品アセンブリを示す図であって、図３に対応する図である。
【図１０】変形例にかかる電装品アセンブリを示す図であって、図７に対応する図である。
【符号の説明】
【００８６】
１  室外ユニット
２  ユニットケーシング
７、１０７  電装品アセンブリ
２８  仕切板
７１、１７１  躯体
７７ｈ  保護プレート開口（収容開口）
８６、１８６  端子台
８７、１８７  端子台サポート部材
８７ａ、１８７ａ  第１端子台支持部
８７ｂ、１８７ｂ  躯体被支持部
８９  第２端子台支持部
９１  制御基板
９２  インバータ制御素子
１８８  第１位置決め部
１８９  第２位置決め部
Ｓ１  送風機室
Ｓ２  機械室